(57)【特許請求の範囲】
【請求項１】
浴槽のエプロンの上方近傍低く設けた入浴者用グリップを、下向きコ字状または略半円状で、かつ、垂直状の把持体で構成し、外形視で略同形の前記グリップ２本を、前記エプロンの内外面に略平行にそれぞれ立設することにより、これらのグリップを前記入浴者の両手で把持する位置が、その両肩に平行になるように構成して、該入浴者の身体を前かがみ姿勢にすることにより、その足をあげ易くしたことを特徴とする浴槽用手摺り。
【請求項２】
浴槽のエプロンに跨設して使用する下向きコ字状鈑金製跨設部材と、該跨設部材に立設した入浴者用グリップと、からなる浴槽用手摺りにおいて、
前記グリップを、浴槽のエプロンの上方近傍低く設けると共に、下向きコ字状または略半円状で、かつ、垂直状の把持体で構成し、外形視で略同形の前記グリップ２本を、前記エプロンの内外面に略平行にそれぞれ立設することにより、前記入浴者が両手を使って把持できるようにしたことを特徴とする浴槽用手摺り。
【請求項３】
前記グリップ２本の一方を起伏自在に固定した請求項１または２に記載の浴槽用手摺り。
【発明の詳細な説明】
【０００１】
【発明の属する技術分野】
本発明は、浴槽用手摺り、詳しくは浴槽の厚肉側壁板（エプロンともいう）の上端部に着脱自在に取付ける手摺りに関するものである。
【０００２】
【従来の技術】
平成５年、福祉用具の開発および普及に関する法律「福祉用具法」が制定されたように、現在では各種の福祉用具が出回っている。
【０００３】
浴室用手摺りも安直で且つ便利な福祉用具の一つとして普及され、身体障害者や高齢者や低学年の児童（以下、入浴者という）等の入浴に役立っている。
【０００４】
この浴室用手摺りのうちで、浴室の壁に手摺りを直接固定した場合、特に素人が既設の壁に固定した場合、壁材によっては十分な固定力がない場合もあって不測の剥離事故が発生するおそれがある。
【０００５】
そのため、強度確認容易（ＪＩＳ規格による浴槽のエプロン面変形試験ずみのもの）で、かつ、素人でも容易に取付けられる浴槽用手摺りが汎用されるようになった。
【０００６】
かかる浴槽用手摺りに関して各種の提案がなされている。例えば、実開平３−３９４８２号公報、実開平３−６０５９０号公報、実公平４−４６３０号公報、実開平４−４３１８９号公報、実開平４−４８８９号、実開平４−５４２９０号公報、実開平６−４８４９０号公報、特開平１１−４７０１６号公報等によって各種の提案がなされている。
【０００７】
本出願人も、図６に示す浴槽用手摺りについて提案を行い、その商品を提供し好評を博している。
【０００８】
これについて述べる。この浴槽用手摺り１００は、下向きコ字状跨設部材２と、この跨設部材２を浴槽のエプロン３（図２参照）に固定するための、浴槽内のハンドル１０４付押圧板５、つまり掴持部材と、この跨設部材２の浴槽外に立設された下向きコ字状の入浴者用垂直状把持部（グリップともいう）６等と、からなり、この押圧板５はステンレス板で構成され、その片面に弾性保護板７が添着されており、他の面の中央部にはピン結合機構を介してネジ棒１０８の一端が連結されている。
【０００９】
このネジ棒１０８は、跨設部材２の一方の足板２ａに回動自在に遊嵌されたナットに螺合している。
【００１０】
このネジ棒１０８の他端側には、前記ハンドル１０４が前記ナットを介して外嵌している。
【００１１】
また、このハンドル１０４には、ネジ棒１０８の他端側がその軸方向に螺進退できる空胴部を形成している。
【００１２】
したがって、ハンドル１０４を回動させれば、ナットが一体に回動するので、ネジ棒１０８の他端が空胴部を螺進退し、このハンドル１０４を回動させても、浴槽内ではハンドルの位置が変わらないようになっている。
【００１３】
したがって、この浴槽用手摺り１００では、入浴者の浴槽への出入りの際、若干の支えがあれば楽にできる程度の入浴者等にとって好都合であり、また、ハンドル１０４の浴槽内の位置が変わらないので邪魔にならず、しかも、手摺り１００を取付けたままで風呂蓋ができる特徴をもっている。
【００１４】
ところで、かかる浴槽用手摺り１００に限らず、大半の浴槽用手摺りは、浴槽のエプロン３に平面視で平行または直交した１本のグリップ６で構成しているので、次の        ような問題が考えられる。
【００１５】
すなわち、この浴槽用手摺り１００を把持して入浴する者は、尻を横移動させながら浴槽に入る場合や尻を中心に９０度タ−ンして入る場合や単にエプロン３を跨いで入る場合や更には浴槽用手摺りを両手で把持して（実公平４−４６３０号公報参照）入る場合等、思い思いの方法で浴槽に入るが、いずれの場合でも両手でグリップを把持して浴槽に入るようにするには、このグリップが大型化し、ひいては、手摺りの取付部分（押圧板５）に過大なモ−メントが作用する、という問題があって、不測の事態を招きかねない。
【００１６】
一方、２本のグリップ、いわゆるツイングリップ型の手摺りは、本出願人の提案の実用新案登録第２５４７４８７号公報や、特開平１−３２０３０６号公報や特開平８−１４０８８０号公報や前掲の実開平４−４８８９号公報で既に知られているが、かかるツイングリップ型の手摺りでは、例えば２本の下向きコ字状のグリップが浴槽のエプロン上を平面視で略直交ないしハ字状になって立設しているので、これらのグリップを片方ずつ把持して両手を略同時使用して入浴しようとすれば、把持する位置が両肩に平行にならず、身体がきわめて不自然となって、ひいては、使いにくくなる、という問題があった。したがって従来のツイングリップ型の手摺りには両手を使う考えはなかった。
【００１７】
【発明が解決しようとする課題】
そこで本発明は、以上の問題を解決することを主たる目的とし、必要に応じ、介護者が一方のグリップを、入浴者が他方のグリップを把持可能にして介護を容易にしようとするものである。
【００１８】
【課題を解決するための手段】
かかる目的を達成するため、本発明は、１）浴槽のエプロンの上方近傍低く設けた入浴者用グリップを、下向きコ字状または略半円状で、かつ、垂直状の把持体で構成し、外形視で略同形の前記グリップ２本を、前記エプロンの内外面に略平行にそれぞれ立設することにより、これらのグリップを前記入浴者の両手で把持する位置が、その両肩に平行になるように構成して、該入浴者の身体を前かがみ姿勢にすることにより、その足をあげ易くしたことを特徴とする浴槽用手摺りにあり、また、２）浴槽のエプロンに跨設して使用する下向きコ字状鈑金製跨設部材と、該跨設部材に立設した入浴者用グリップと、からなる浴槽用手摺りにおいて、前記グリップを、浴槽のエプロンの上方近傍低く設けると共に、下向きコ字状または略半円状で、かつ、垂直状の把持体で構成し、外形視で略同形の前記グリップ２本を、前記エプロンの内外面に略平行にそれぞれ立設することにより、前記入浴者が両手を使って把持できるようにしたことを特徴とする浴槽用手摺りにあり、また、３）前記グリップ２本の一方を起伏自在に固定した請求項１または２に記載の浴槽用手摺りを要旨とする。
【００１９】
【発明の実施の形態】
本発明を、添付図面に示す実施例により詳細に述べる。
図１は本発明の第１の実施例の概観斜視図、図２は本発明の第２の実施例の概観斜視図、図３は図１の詳細一部切欠側面図、図４は図３のＸ矢視図、図５は図３の平面図であって、図６と同一部分または共通部分は説明を簡略化ないし省略する。
【００２０】
本発明の第１および第２の実施例の浴槽用手摺り１，１Ａは、いずれもネジ式押圧板締付機構、つまり掴持部材を採用し、その締付ストロ−クをエプロン３の厚さに対し、例えば４５ｍｍから８０ｍｍまで調節できる範囲や、８０ｍｍから１１５ｍｍまで調節できる範囲のように、その調節範囲を最小値から略２倍の値までや最小値の１／３倍の値まで大巾に拡大できるようにして、エプロン３の厚さの多様化に対処できるよう汎用化している。
【００２１】
しかも、このネジ棒８の螺進退ストロ−ク範囲を縮小制限してネジ込み操作を容易にし、ひいては、締付力を均一化できるようにしている。
【００２２】
さて、本発明の第１の実施例の浴槽用手摺り１の特徴は、特に図１に示すように、いわゆるツイングリップ型に構成され、これらのツインたる第１、第２（主、補助ともいう）のグリップ６，６ａは、下向きコ字状のステンレス等鈑金製跨設部材２に立設されている。
【００２３】
この跨設部材２には、浴槽のエプロン３にガッチリと着脱自在に固定するため、浴槽の内側に設けたハンドル付押圧板５を設けており、すなわち、ネジ式押圧板締付機構を設けている。
【００２４】
ここで、これらの下向きコ字状（略半円状も含む）の第１、第２のグリップ６，６ａは、外形視で略同形、特に高さを等しくし、しかも、前掲の従来例より約半分以下に低くし、その上、平面視でエプロン３の内外側面近傍上方で略平行にして、高齢者等の入浴者は、これらの第１、第２のグリップ６，６ａを片方ずつ両手で略同時に把持して浴槽に入るようにしている。勿論、一方のグリップのみを使ってもよい。
【００２５】
したがって、握力や腕力の低下した入浴者にとって両手が使えて好都合となるばかりでなく、両手を使うことにより、身体が前かがみとなって自然に低い姿勢となり、ひいては、足をあげ易く、エプロン３を安全に乗り越え易くできる。
【００２６】
その結果、この手摺り１をエプロン３に取付ける締付箇所では、これらのグリップ（６，６ａ）を両手で使用しても、２本のグリップを把持することにより低く構成できるだけに、当該入浴者の腕力や体重等による過大なモ−メントを抑制し、ひいては、手摺り取付の信頼性を得ることができる。
【００２７】
また、特に浴槽内側にある第２のグリップ６ａを起伏自在に構成すれば、浴槽に入るときは、これを起立・固定し、入浴中は水平状に倒伏・固定して、入浴中の身体を安定に保持することができる。
【００２８】
勿論、水平状に倒伏させれば、風呂蓋を隙間なく閉塞することもできる。
【００２９】
なお、必要に応じ、起立した２本のグリップ（６，６ａ）のうち第２のグリップ６ａを入浴者が、第１のグリップ６を介護者（介添人または大人）がそれぞれ把持すれば、滑りやすい浴室での介護が安全にできるし、入浴者のクセで入浴するとき、手摺り１を外すように持上げて入浴する場合には、介護者が第１のグリップ６を押圧して外れないようにする等、ツイングリップ型の各種の効能を果たすことができる。
【００３０】
次に、以上の手摺り１を詳細に述べる。すなわち、図３、図４および図５において、押圧板５、ハンドル４およびネジ棒８等に分けて述べる。
【００３１】
ネジ棒８の先端には押圧板５が俯仰するよう揺動自在に連結しており、このネジ棒８の中央部より基部側にかけて快削黄銅等金属製のフランジ付ナット（不図示）が螺合し、このナットに、ポッチ１０付の掴みハンドル４が外嵌している。
【００３２】
このフランジ付ナットは前記跨設部材２の、浴槽内に位置する足板２ａに回転自在に支持されており、掴みハンドル４を正逆転させると、このフランジ付ナットが一体回転して、ネジ棒８が螺進退し、その結果、押圧板５をエプロン３の内側面に押圧したり、解放したりする。
【００３３】
この掴みハンドル４は発泡ＰＰ製（合成樹脂製）射出成形品とし、その形状は円板状掴み部９と小円筒状基部９Ａとから構成し、円板状掴み部９の円板外周に４つ（複数）の小半球状ポッチ１０，１０…を一体成形している。
【００３４】
この円板状掴み部９の直径は、成人によるワシ掴みに好都合な寸法として約６５〜７０ｍｍφとし、これらの小半球状ポッチ１０で構成した仮想外径を約７５ｍｍφ、円板の厚さを約３０ｍｍとして、指先の力の弱い使用者でも都合よくワシ掴みできるようにし、押圧板５に必要な押圧力を発生させるようにしている。そして、この掴みハンドル４の水平方向の長さ、つまり浴槽での突出量を約５０ｍｍに抑えてあまり突出させないようにしている。
【００３５】
次に、跨設部材（フレ−ムともいう）２について述べる。主として、図１、図３および図５において、この下向きコ字状跨設部材２の一方の足板２ａは浴槽内にあって、これにハンドル付押圧板５を設けている。
【００３６】
この足板２ａの両縁部には、掴みハンドル４を囲み、かつ、ワシ掴みができる空間を残して、外向きに折曲された１対のブラケット１１，１１を形成している。
【００３７】
これらのブラケット１１，１１には、後記詳細の第２（補助）のグリップ６ａが取付けられている。
【００３８】
他方の足板２ｂは浴槽外にあって、その両側近傍で上下にそれぞれ、計４つ（複数）のビス止め凹部１２，１２…を形成し、また、これらのビス止め凹部１２をもカバ−して、その内面全体に厚肉ゴム板１３を添着し、押圧板５による押圧力を偏りなく受け、浴槽用手摺り１をエプロン３に強固に、かつ、エプロン３を損傷しないようにしている。
【００３９】
また、この跨設部材２の天板の内面にも薄肉ゴム板１４を添着している。
【００４０】
前記ビス止め凹部１２，１２…にはビス１５を挿入し、このビス１５を第１のグリップ６に成形時埋設したインサ−トナット１６に螺合することにより、足板２ｂに第１のグリップ６を立設している。
【００４１】
これらの第１および第２のグリップ６，６ａについて述べる。これらのグリップ６，６ａは、いずれも下向きコ字状の入浴者用垂直状把持体からなり、発泡ＰＰを芯材とし、把持する部分をエラストマ−でカバ−した２層成形により構成して、滑りにくく安全を確保しており、特に、第２のグリップ６ａの下向き両端には足杆１８，１８を連結している。この足杆１８はパイプ体で構成している。
【００４２】
第１のグリップ６は一方の足板２ｂに前記のように取付けているが、第２のグリップ６ａは、他方の足板２ａのブラケット１１，１１に、次のようにして図１、図３のＡ矢印のような起伏自在に取付けている。
【００４３】
これらのブラケット１１，１１は外形を同一寸法にした半円板でそれぞれ構成し、その略中心位置で、抜止めされた枢支ピン１７により、第２のグリップ６ａの両足杆１８，１８をそれぞれ枢支している。
【００４４】
したがって、第２のグリップ６ａは両側１対のブラケット１１の外面で枢支ピン１７，１７を中心にＡ矢印のような起伏動ができるようになっている。
【００４５】
これらのブラケット１１のうち第１のブラケット１１には、垂直位置から水平位置に亘る、第１象限で円弧状の案内孔１９を設け、この案内孔１９に一方の足杆１８を貫通した第１のガイドピン２０の先端部が挿入されて突出している。
【００４６】
また、第２のブラケット１１には、前記案内孔１９に対応した垂直位置での貫通孔２１と水平位置での貫通孔２２をそれぞれ設け、これらの貫通孔２１，２２に他方の足杆１８を貫通した第２のガイドピン２３の先端部が抜差し挿入されて突出している。
【００４７】
したがって、これらの第１、第２のガイドピン２０，２３は、足杆１８、案内孔１９または貫通孔２１，２２の順に挿通し、その先端部がブラケット１１の内側に突出して第２のグリップ６ａの起伏動や固定を円滑・確実にしている。
【００４８】
第１のガイドピン２０の頭部は薄丸状に形成し、また、その軸部の先端部にはガイドピンストッパ−２４を固着して、このガイドピンストッパ−２４によって第２のグリップ６ａの起立と倒伏とを、貫通孔２１，２２との協同で確実にしている。
【００４９】
第２のガイドピン２３の頭部にはつまみ２５を形成し、これを掴んで第２のガイドピン２３を外向きに引出し、前記貫通孔２１，２２から抜出すようにし、第２のグリップ６ａをＡ矢印のように起伏させる。
【００５０】
そして、第２のガイドピン２３の軸部には戻し用の圧縮コイルバネ２６が外嵌していて、このコイルバネ２６の弾力に抗して第２のガイドピン２３を引出し、また、その先端を貫通孔２１、または２２に、コイルバネ２６の圧縮戻し力により、再び自動的に挿入するようにしている。
【００５１】
そして、このつまみ２５を掴んで、第２のグリップ６ａを起伏させる操作は、勿論、入浴者が行ってもよいが、介護者等家人が行う。
【００５２】
なお、足杆１８の下端にはキャップ２７でカバ−しており、また、第２のグリップ６ａと足杆１８とを、第２のグリップ６ａの端部内に埋設したインサ−トナット２８に固定用座金２９を介してビス３０の螺着によって連結している。
【００５３】
次に、本発明の第２の実施例の浴槽用手摺り１Ａについて述べる。図２において、この浴槽用手摺り１Ａは、前記手摺り１と異なり、第２のグリップ（補助グリップ）３１が浴槽内で倒伏されず起立したままで、その代り、第３のグリップ３２を設けている。
【００５４】
そして、下向きコ字状の跨設部材３３は、天板３５と一方の足板３６とで逆Ｌ字状に一体になっていて、この天板３５と他方の足板は第１のグリップ３４が立設されている所で、Ｂ矢方向に起伏できるようヒンジ結合３７して、全体として下向きコ字状に形成されている。そして、風呂蓋をするときは、このヒンジ結合３７を中心に第２のグリップ３１側を上方に上げておくようになっている。
【００５５】
また、使用者が入浴するときは元に戻し、ハンドル付押圧板３９でエプロン３の内面に押圧固定すると共に、押しネジ４０によりエプロン３の上面を押圧してヒンジ結合３７を固定する。
【００５６】
また、前記第３のグリップ３２は掴みハンドル３８を挟んで、いずれの側にも付け替えができるようにしている。
【００５７】
その他の構造は、第１の実施例の浴槽用手摺り１と共通に付き、省略するのでそのまま補充することができる。
【００５８】
以上要するに、第２の実施例の浴槽用手摺り１Ａは、トリプルグリップ型で構成され、各グリップを跨設部材３３に強固に取付けができるばかりでなく、使用者の思い思いの使用に一層適応することができる。
【００５９】
更に、バリアフリ−用浴槽として、２本のグリップ（６，６ａ）を製造工場等で予め設けたものや、着脱不可に設けたものでもよいし、そのときのグリップは逆Ｌ字状でもよい。
【００６０】
【発明の効果】
請求項１および２の発明によると、入浴者が両手を使って浴槽に出入する際、身体が自然に安定した状態で把持でき、安全な出入動作となるばかりか、身体が低くなって足があげ易くエプロンの乗り越えが容易となり、もし、介護者がいれば、その介護作業を楽にすることができる。
【００６１】
したがって、入浴者の軽いバリアから重いバリア状態に対し、使用範囲を拡大していずれも適用（フリ−に）することができる。
【００６２】
請求項２の発明によると、介護者が安定して介護できる等、使用者の各種の要望に適応させることができる。
【図面の簡単な説明】
【図１】  本発明の第１の実施例の概観斜視図である。
【図２】  本発明の第２の実施例の概観斜視図である。
【図３】  図１の詳細一部切欠側面図である。
【図４】  図３のＸ矢視図である。
【図５】  図３の平面図である。
【図６】  従来例である。
【符号の説明】
１…浴槽用手摺り、２…跨設部材、３…エプロン、４…掴みハンドル、５…押圧板、６，６ａ…第１、第２のグリップ
【図１】
0003683496.tif 000002
【図２】
0003683496.tif 000003
【図３】
0003683496.tif 000004
【図４】
0003683496.tif 000005
【図５】
0003683496.tif 000006
【図６】
0003683496.tif 000007